(57)【要約】【課題】異常状態から復帰後キーが利かない状態で加熱が再開されないようにして安全性を高くすること。【解決手段】加熱中異常発生時に、加熱停止かつエラーを表示し、異常状態復帰時に加熱再開かつエラー表示しない異常検知手段６が動作し、エラーを表示している状態で、キー異常検知手段８が動作した場合に、使用者に現在の状況を知らせるため操作部３に設けられた表示部５には異常検知手段６のエラー表示を優先させ、異常検知手段６の解除時には加熱を再開しないようにすること。【選択図】図１
2012252851.tif 000002
【特許請求の範囲】
【請求項１】
加熱部と、前記加熱部の加熱を制御するための制御部と、前記制御部を決められたシーケンスにて動作させるために使用者が操作する操作部と、前記操作部に設けられた加熱切／入・火力調整・タイマ・メニュー等の設定を行う複数個からなるキーと、前記キーのうちいずれか１つが押された時点から押され続けている間の時間をカウントとするカウント手段と、前記カウント手段が所定時間カウントすると前記キーの異常と判断し加熱を停止させるキー異常検知手段と、使用者に現在の状況を知らせるため前記操作部に設けられた表示部と、加熱中に前記制御部の異常を検知した場合に加熱を一時停止かつエラーを表示し、異常状態から復帰した場合に加熱を再開かつエラーを表示しない異常検知手段と、を備え、加熱中に前記異常検知手段により、エラーを表示している状態で、前記キー異常検知手段が動作した場合に加熱を停止、かつ前記表示部には異常検知手段のエラー表示を優先させ、異常検知手段解除時は加熱を再開しないようにした加熱調理器。
【請求項２】
カウント手段は、キーのうち２つ以上が同時に押された時点から押され続けている間カウントするようにした請求項１に記載の加熱調理器。
【請求項３】
キー異常検知手段は、カウント手段がキーのうち１つが押された時点でカウントを開始し、カウント中に前記キーのうち押されていない前記キーが２つ以上押されても、最初に押された前記キーが押された時点から所定時間カウントすると前記キーの異常と判断し加熱を停止させる請求項１または２に記載の加熱調理器。
【請求項４】
キー異常検知手段は、異常検知手段のエラーが表示されていない場合に、キーの異常を前記表示部にエラーとして表示するようにした請求項１〜３いずれか１項に記載の加熱調理器。
【発明の詳細な説明】
【技術分野】
【０００１】
本発明は、一般家庭や業務用に使用される加熱調理器に関するものである。
【背景技術】
【０００２】
従来、加熱調理器では、加熱を制御する制御回路や温度を検知するために必要な温度検知回路等に異常が発生した場合に、異常状態に対応したエラーコードを表示部に表示させて、使用者に異常を知らせるようになっている。
【０００３】
近年では、加熱調理器である誘導加熱調理器において、鍋やフライパンの温度を正確に検知するために、位置決め用ＬＥＤと赤外線センサをトッププレート下面に設けたものが開示されており、赤外線センサの故障を検知すると加熱を一時停止し異常状態を示すエラーを表示する。そして異常状態から復帰すると加熱を再開するようにしている（例えば、特許文献１参照）。
【０００４】
また、操作部に設けられた加熱切／入キーに異常が発生し押し続けられた場合に、加熱停止できないために、所定時間経過すると加熱を停止するようにしているものがあった。
【先行技術文献】
【特許文献】
【０００５】
【特許文献１】特開２０１１−００９０３１号公報
【発明の概要】
【発明が解決しようとする課題】
【０００６】
しかしながら、従来の構成では、制御回路等に異常が発生し、エラーを表示させ加熱を一時停止している状態で、加熱切／入キーに異常が発生しキー押し続けられた場合に、異常検知によるエラーのためすでに加熱を停止しているため、キーが所定時間押し続けられても、動作しなかった。そのため、異常状態から復帰した場合に、キーが押され続けているためキーがきかない状態で加熱復帰してしまう恐れがあるという課題を有していた。
【０００７】
本発明は、異常状態を検知しエラーを表示している状態で、キーが押され続けた場合はエラーによる一時加熱停止状態から、加熱停止状態にし、異常状態によるエラーを優先表示させることで、異常状態から復帰後キーが利かない状態で加熱が再開されないようにし、安全性の高い加熱調理器を提供することを目的とする。
【課題を解決するための手段】
【０００８】
前記従来の課題を解決するために、本発明の加熱調理器は、加熱部と、前記加熱部を制御するための制御部と、前記制御部を決められたシーケンスにて動作させるために使用者が操作する操作部と、前記操作部に設けられた加熱切／入・火力調整・タイマ・メニュー等の設定を行う複数個からなるキーと、前記キーのうちいずれか１つが押された時点から押され続けている間の時間をカウントとするカウント手段と、前記カウント手段が所定時間カウントすると前記キーの異常と判断し加熱を停止させるキー異常検知手段と、使用者に現在の状況を知らせるため前記操作部に設けられた表示部と、加熱中に前記制御部の異常を検知した場合に加熱を一時停止かつエラーを表示し、異常状態から復帰した場合に加熱を再開かつエラーを表示しない異常検知手段と、を備え、加熱中に前記異常検知手段によりエラーを表示している状態で、前記キー異常検知手段が動作した場合に加熱を停止、かつ前記表示部には異常検知手段のエラー表示を優先させ、異常検知手段解除時は加熱を再開しないようにしたものである。
【０００９】
これによって、異常状態から復帰後キーが聞かない状態で加熱を再開しないため、安全性を向上させることができる。
【発明の効果】
【００１０】
本発明の加熱調理器は、異常状態を検知しエラーを表示している状態でも、キーが押され続けるような状態になった場合にエラーによる一時加熱停止状態から、加熱停止状態に変更し、異常状態によるエラーを優先表示させるため、異常状態から復帰後キーが利かない状態で加熱を再開しないため、安全性を向上させることができる。
【図面の簡単な説明】
【００１１】
【図１】本発明の実施の形態１における加熱調理器の全体構成図
【図２】（ａ）通常エラー発生時の時動作図（ｂ）エラー及びキー異常発生時の第１の動作図（ｃ）エラー及びキー異常発生時の第２の動作図
【発明を実施するための形態】
【００１２】
第１の発明は、加熱部と、前記加熱部の加熱を制御する制御部と、前記制御部を決められたシーケンスにて動作させるために使用者が操作する操作部と、前記操作部に設けられた加熱切／入・火力調整・タイマ・メニュー等の設定を行う複数個からなるキーと、前記キーのうちいずれか１つが押された時点から押され続けている間の時間をカウントとするカウント手段と、前記カウント手段が所定時間カウントすると前記キーの異常と判断し加熱を停止させるキー異常検知手段と、使用者に現在の状況を知らせるため前記操作部に設けられた表示部と、加熱中に前記回路基板の異常を検知した場合に加熱を一時停止かつエラーを表示し、異常状態から復帰した場合に加熱を再開かつエラーを表示しない異常検知手段と、を備え、加熱中に前記異常検知手段によりエラーを表示している状態で、前記キー異常検知手段が動作した場合に加熱を停止、かつ前記表示部には異常検知手段のエラー表示を優先させ、異常検知手段解除時は加熱を再開しないようにすることで、異常状態を検知しエラーを表示している状態でも、キーが押され続けた場合はエラーによる一時加熱停止状態から、加熱停止状態に変更し、かつ異常状態によるエラーを表示させるため、異常状態から復帰後キーが聞かない状態で加熱を再開しないため、安全性が向上する。
【００１３】
第２の発明は、特に、第１の発明において、前記カウント手段は、前記キーのうち２つ以上が同時に押された時点から押され続けている間カウントすることで、複数のキーが押され続けた状態になっても、キー異常検知手段が動作するため、異常状態から復帰後キーが聞かない状態で加熱を再開しないため、第１の発明と同様に安全性が向上する。
【００１４】
第３の発明は、特に、第１または第２の発明において、前記キー異常検知手段は、カウント手段が前記キーのうち１つが押された時点でカウントを開始し、カウント中に前記キーのうち押されていないキーが２つ以上押されても、最初のキーが押された時点から所定時間カウントするとキーの異常と判断し加熱を停止させることで、キーが押されてから途中で別のキーがおされてもカウント手段はカウントを続けるため、キー異常検知手段により、異常状態から復帰後キーが聞かない状態で加熱が再開されない。その結果、第１の発明と同様に安全性が向上する。
【００１５】
第４の発明は、特に、第１〜３のいずれか１つの発明において、前記キー異常検知手段は、前記異常検知手段によるエラーが表示されていない場合に、前記キーの異常を前記表示部にエラーとして表示することで、異常状態から復帰した後も、キーが押され続けた場合に、キーに異常が発生していることを表示部に表示し、使用者に知らせることができるため、安全性がさらに向上する。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における加熱調理器の構成を示すものである。
【００１８】
図１に示すように、本実施の形態における加熱調理器は、誘導加熱調理器とし、トッププレート下面に配置された加熱コイルによって構成される加熱部１と、加熱部１を加熱するためのインバータ回路やインバータ回路を制御するためのマイクロコンピュータ（マイコン）等から構成される制御部２と、使用者が操作するために設けられた操作部３は、加熱切／入、火力調節、タイマ設定、ロック、メニュー選択等の機能が割り当てられた複数のキー４と、火力・タイマ残時間・エラー表示等を表示するための液晶表示素子やＬＥＤ等から構成される表示部５から構成される。異常検知手段６は、加熱部１・制御部２・操作部３の各部の異常を検知する検知回路と制御部２のマイコンから構成され、異常状態をマイコンが検知すると、加熱を一時停止し、異常状態に応じたエラーを表示し、異常状態から復帰するとエラー表示を消し、加熱を再開させる。カウント手段７はマイコンに内蔵されているカウンタを用いて、１つのキー４が押されている時間をカウントする。カウントした時間が所定時間に到達すると、キー４が押され続けて異常であると検知したマイコンからなるキー異常検知手段８が、一時加熱停止状態から完全に加熱を停止させ、異常状態から復帰した後、加熱が再開しないようにする。
【００１９】
以上のように構成された誘導加熱調理器について、以下にその動作、作用を説明する。
【００２０】
図２に本発明の第１の実施の形態における誘導加熱調理器の動作図を示す。図２（ａ）の通常動作を説明する。異常検知手段６により、時間ｔ２で異常を検知すると、エラーを表示させて加熱を一時停止させる。時間ｔ６で異常状態から復帰すると、エラー表示を消し、加熱を再開する。次に図２（ｂ）において、時間ｔ２で異常を検知し、エラーを表示させて加熱が一時停止状態となる。その後、時間ｔ３でキーが押され続け、カウント手段７が所定時間Ｔまでカウントすると、時間ｔ５にてキー異常検知手段８が動作し、一時加熱停止状態から加熱停止状態へ移行させる。その後時間ｔ６にて異常状態から復帰するまでの間（ｔ５−ｔ６間）はエラー表示を優先させる。異常状態から復帰した後は、加熱を停止しているため自動で復帰することはない。
【００２１】
同様に図２（ｃ）おいて、異常検知手段６が異常を検知する前の時間ｔ１で、キーが押され続け、カウント手段７がカウントをしている間に時間ｔ２で異常検知手段６が異常を検知しても時間ｔ１時点からカウント手段７が所定時間Ｔまでカウントすると時間ｔ４で、キー異常検知手段８により、加熱停止状態へ移行させる。（ｔ２−ｔ６間）はエラー表示を優先させる異常状態から復帰した後は図２（ｂ）同様に加熱は停止した状態となる。よって図２（ｂ）（ｃ）のようにキーが受け付けない状態のまま、自動で加熱が再開されることがないため安全性が向上する。
【００２２】
なお、カウント手段７は、複数のキー４が同時押された場合でカウントしてもよい。そうすることで、複数のキー４が同時に異常状態になった場合にも、安全性が向上できる。
【００２３】
なお、カウント手段７は、１つのキーが押され続けている間に、複数のキーが押された場合にも、最初に押されたキーからカウントすることで、カウント手段７が必ず所定時間経過後、加熱停止状態に移行させることができる。
【００２４】
なお、異常検知手段６の異常状態から復帰して以降も、キー４が継続して押し続けられている場合は、キー４に異常が発生していることを、エラーとして表示部５に表示しても
よい。また音声報知手段を設けて、音声により異常が発生している内容の報知を行ってもよい。そのようにすることでキー４に異常が発生していることを使用者に知らせることができるため、安全性の向上が実現できる。
【産業上の利用可能性】
【００２５】
以上のように、本発明にかかわる加熱調理器は、機器全体に異常が発生している状態でキー操作が正常に行えなくなった場合にも、異常状態復帰時には加熱を停止させることができるので、家庭用あるいは業務用の加熱調理器に適用することができる。
【符号の説明】
【００２６】
１  加熱部
２  制御部
３  操作部
４  キー
５  表示部
６  異常検知手段
７  カウント手段
８  キー異常検知手段
【図１】
2012252851.tif 000003
【図２】
2012252851.tif 000004